【手続補正書】
【提出日】平成29年5月29日(2017.5.29)
【手続補正１】
【補正対象書類名】明細書
【補正対象項目名】００６２
【補正方法】変更
【補正の内容】
【００６２】
（実施例６）
厚さ４分の１インチ（０．６４ｃｍ）のアニールフロートガラスを用いて、実施例５の方法に従って１２インチ×１８インチ（３０ｃｍ×４６ｃｍ）の積層型構成体を２枚調製した。１つ目のガラスシートの全面に０．０３０インチ（０．０７６ｃｍ）のＰＶＢフィルムを貼付し、次いで、１層の日光方向転換フィルムをその非構造化面がＰＶＢ層に隣接するように貼付した。日光再転換フィルムは、ＰＶＢの４分の１インチ（０．６４ｃｍ）のボーダーが周辺に露出されて残るような大きさにした。２つ目のガラスシートを上に載置して、積層構成体を形成した。このプロセスを繰り返して第２の積層構成体を形成した。これらの積層構成体を真空で脱気し、次いで、２８０°Ｆ（１３８℃）の温度で１時間、真空下で加熱した。最初の視認検査で、認知可能な欠陥はサンプルに認められなかった。次いで、制御された屋内条件でこれらの積層体を９ヶ月間保管した。積層ガラスパネルを再検査したところ、周辺区域でＰＶＢがガラスから剥離した部分があったが、全体的な剥離はなかった。これらの剥離した区域のいずれも、ＤＲＦを配置した部分には及んでいなかった。本発明の実施態様の一部を以下の項目［１］−［２７］に記載する。
［項目１］
光方向転換構成体であって、
・第１のグレージング基材と、
・少なくとも１つの微細構造表面を備えた光方向転換フィルムと、
・第２のグレージング基材と、
・前記光方向転換フィルムと前記第２のグレージング基材との両方に対して、前記第１のグレージング基材に隣接した第１の中間層と、を備え、
前記光方向転換フィルムが前記第１の中間層の面積よりも小さい面積を有する、光方向転換構成体。
［項目２］
前記光方向転換構成体が積層体である、項目１に記載の光方向転換構成体。
［項目３］
前記少なくとも１つの微細構造表面を有する前記光方向転換フィルムの面が前記第２のグレージング基材に面するように前記光方向転換フィルムが前記光方向転換構成体に配置される、項目１〜２のいずれか一項に記載の光方向転換構成体。
［項目４］
前記光方向転換フィルムは、前記少なくとも１つの微細構造表面を有する前記光方向転換フィルムの面が前記第２のグレージング基材に面するように前記光方向転換構成体に配置され、
かつ前記光方向転換構成体が、前記光方向転換フィルムと前記第２のグレージング基材との間に位置づけられた光学フィルムを更に備えている、項目１〜３のいずれか一項に記載の光方向転換構成体。
［項目５］
前記光方向転換フィルムは、前記少なくとも１つの微細構造表面を有する前記光方向転換フィルムの面が前記第２のグレージング基材に面するように前記光方向転換構成体に配置され、前記少なくとも１つの微細構造表面及び前記第２のグレージング基材によって画定される体積内にエアロゲルを更に備えている、項目１〜４のいずれか一項に記載の光方向転換構成体。
［項目６］
拡散フィルムを更に備えている、項目１〜５のいずれか一項に記載の光方向転換構成体。
［項目７］
第２の中間層によって第２のグレージング基材に結合された第３のグレージング基材を更に備えている、項目１〜６のいずれか一項に記載の光方向転換構成体。
［項目８］
第３のグレージング基材を更に備えている光方向転換構成体であって、前記第３のグレージング基材が、前記第２のグレージング基材に結合していなく、かつ前記第２のグレージング基材から距離Ｌ１に位置している、項目１〜７のいずれか一項に記載の光方向転換構成体。
［項目９］
安全フィルムを更に備えている、項目１〜８のいずれか一項に記載の光方向転換構成体。
［項目１０］
安全フィルムを更に備えている光方向転換構成体であって、前記安全フィルムが、前記第２のグレージング基材に隣接しているか、又は、存在している場合は、第３のグレージング基材に隣接している、項目１〜９のいずれか一項に記載の光方向転換構成体。
［項目１１］
前記第１の中間層、又は存在している場合は第２の中間層、の少なくとも１つが、ポリビニルブチレート（ＰＶＢ）、エチレンビニルアセテート（ＥＶＡ）、及びＳｅｎｔｒｙＧｌａｓ（登録商標）Ｐｌｕｓ（ＳＧＰ）から選択される少なくとも１つの構成成分を含んでいる、項目１〜１０のいずれか一項に記載の光方向転換構成体。
［項目１２］
前記第１の中間層、又は存在している場合は第２の中間層、の少なくとも１つが、紫外線遮断剤を含んでいる、項目１〜１１のいずれか一項に記載の光方向転換構成体。
［項目１３］
前記第１の中間層、又は存在している場合は第２の中間層、の少なくとも１つが、クリアな中間層及び拡散中間層から選択される、項目１〜１２のいずれか一項に記載の光方向転換構成体。
［項目１４］
前記第１の中間層、又は存在している場合は第２の中間層、の少なくとも１つが、９０％未満の可視光透過率を有する、項目１〜１３のいずれか一項に記載の光方向転換構成体。
［項目１５］
前記光方向転換フィルムの面積が、最終的な積層型光方向転換構成体において前記第１の中間層によって覆われている面積の９８％である、項目１〜１４のいずれか一項に記載の光方向転換構成体。
［項目１６］
前記光方向転換フィルムの面積が、最終的な積層型光方向転換構成体において前記第１の中間層によって覆われている面積の９５％である、項目１〜１５のいずれか一項に記載の光方向転換構成体。
［項目１７］
前記光方向転換フィルムの面積が、最終的な積層型光方向転換構成体において前記第１の中間層によって覆われている面積の９０％である、項目１〜１６のいずれか一項に記載の光方向転換構成体。
［項目１８］
前記光方向転換フィルムの面積が、最終的な積層型光方向転換構成体において前記第１の中間層によって覆われている面積の８０％である、項目１〜１７のいずれか一項に記載の光方向転換構成体。
［項目１９］
前記中間層が、前記光方向転換フィルムの面積の１０％以下と接触している、項目１〜１８のいずれか一項に記載の光方向転換構成体。
［項目２０］
前記中間層が、前記光方向転換フィルムの所与の百分率の面積と接触しており、かつ前記百分率が、２０％以下、３０％以下、４０％以下、５０％以下、６０％以下、７０％以下、８０％以下、９０％以下、及び９５％以下の中から選択される、項目１〜１９のいずれか一項に記載の光方向転換構成体。
［項目２１］
前記光方向転換フィルムが、
・第１の光学フィルムであって、第１の主表面と、前記第１の主表面の反対側の第２の主表面とを有する第１の光学フィルムにおいて、前記第１の主表面が、非対称構造物を含む微細構造化表面を備えている、第１の光学フィルムと、
・第２の光学フィルムであって、第１の主表面及び前記第１の主表面と反対側の第２の主表面を有し、前記第２の主表面が前記第１の光学フィルムの第１の主要構造化表面の前記構造の実質的に全部と隣接するように配置されてこれらと接触し結合される、第２の光学フィルムとを含む、光方向転換フィルムであって、前記第１の光学フィルムの前記第１の主表面及び前記第２の光学フィルムの前記第２の主表面は、前記第１の主表面の前記構造が一部を占める密閉容積を画定し、前記構造は画定される合計容積の２０〜８０％を占める、項目１〜２０のいずれか一項に記載の光方向転換構成体。
［項目２２］
前記第１のグレージング基材が第１の主表面と第２の主表面とを有し、前記光方向転換フィルムは、
・前記第１のグレージング基材の前記第１の主表面上に配置された前記第１の太陽光方向転換層であって、複数のプリズム構造を形成する微細構造化表面を含む、第１の太陽光方向転換層と、
・前記第１のグレージング基材の前記第２の主表面の上に配設された第２の太陽光方向転換層であって、複数のプリズム構造物を形成する微細構造化表面を含む、第２の太陽光方向転換層と、
を備え、前記第１又は第２の微細構造化表面の少なくとも１つが複数の非対称屈折プリズムの秩序配列を含み、よって第１の太陽光方向転換層と第２の太陽光方向転換層は同一の像若しくは鏡像でない、項目１〜２１のいずれか一項に記載の光方向転換構成体。
［項目２３］
前記第１のグレージング基材が第１の主表面と第２の主表面とを有し、前記光方向転換フィルムは、
・前記第１のグレージング基材の前記第１の主表面又は前記第２の主表面のいずれかの上に配設された第１の太陽光方向転換層であって、複数のプリズム構造物を形成する主表面を含む、第１の太陽光方向転換層と、
・第１の主表面及び第２の主表面を有する第４のグレージング基材と、
・前記第２のグレージング基材の前記第１の主表面又は前記第２の主表面の上に配設された第２の太陽光方向転換層であって、複数のプリズム構造物を形成する主表面を含む、第２の太陽光方向転換層と、を備えており、
第１又は第２の微細構造化表面の少なくとも１つが、複数の非対称屈折プリズムの秩序配列を含み、よって第１の太陽光方向転換層及び第２の太陽光方向転換層は同一の像又は鏡像ではない、項目１〜２２のいずれか一項に記載の光方向転換構成体。
［項目２４］
前記光方向転換フィルムが、
・第１の主表面及び前記第１の主表面と反対側の第２の主表面を有する光学基材と、
・前記光学基材の前記第１の主表面上に配設された第１の太陽光方向転換層であって、複数の多面屈折プリズムを含む第１の微細構造化表面を含む、第１の太陽光方向転換層と、
・前記光学基材の前記第２主表面上に配設された第２の太陽光方向転換層であって、複数の多面屈折プリズムを含む第２の微細構造化表面を含む、第２の太陽光方向転換層と、を備えており、
前記第１又は第２の微細構造化表面の少なくとも１つが、複数の非対称屈折プリズムの秩序配列を含み、よって第１の太陽光方向転換層及び第２の太陽光方向転換層は同一の像又は鏡像ではない、項目１〜２３のいずれか一項に記載の光方向転換構成体。
［項目２５］
前記光方向転換フィルムが、
・前記第１のグレージング基材に配設された可視光拡散層と、
・前記可視光拡散層に隣接する光方向転換層であって、複数のプリズム構造物を形成する主表面を含む光方向転換層と、を備え、前記可視光拡散層及び光方向転換層は、入射する太陽光が前記光方向転換層に接触する前に前記可視光拡散層に接触するように配向される、項目１〜２４のいずれか一項に記載の光方向転換構成体。
［項目２６］
前記光方向転換フィルムが、
・パターンを有する可視光拡散層と、
・前記可視光拡散層に隣接する光方向転換層であって、複数のプリズム構造物を形成する主表面を含む光方向転換層と、を備えている、項目１〜２５のいずれか一項に記載の光方向転換構成体。
［項目２７］
前記光方向転換フィルムが、ＰＣＴ公開番号、ＷＯ２０１１／０８４３９１号、ＷＯ２０１２／１３４７８７、ＷＯ２０１３／０１２８６５号、及びＷＯ２０１３／０１２８５８号に開示されている光方向転換フィルムから選択される、項目１〜２６のいずれか一項に記載の光方向転換構成体。
【手続補正２】
【補正対象書類名】特許請求の範囲
【補正対象項目名】全文
【補正方法】変更
【補正の内容】
【特許請求の範囲】
【請求項１】
光方向転換構成体であって、
・第１のグレージング基材と、
・少なくとも１つの微細構造表面を備えた光方向転換フィルムと、
・第２のグレージング基材と、
・前記光方向転換フィルムと前記第２のグレージング基材との両方に対して、前記第１のグレージング基材に隣接した第１の中間層と、を備え、
前記光方向転換フィルムが前記第１の中間層の面積よりも小さい面積を有する、光方向転換構成体。
【請求項２】
前記光方向転換構成体が積層体である、請求項１に記載の光方向転換構成体。
【請求項３】
前記少なくとも１つの微細構造表面を有する前記光方向転換フィルムの面が前記第２のグレージング基材に面するように前記光方向転換フィルムが前記光方向転換構成体に配置される、請求項１〜２のいずれか一項に記載の光方向転換構成体。
【請求項４】
前記光方向転換フィルムは、前記少なくとも１つの微細構造表面を有する前記光方向転換フィルムの面が前記第２のグレージング基材に面するように前記光方向転換構成体に配置され、
かつ前記光方向転換構成体が、前記光方向転換フィルムと前記第２のグレージング基材との間に位置づけられた光学フィルムを更に備えている、請求項１〜３のいずれか一項に記載の光方向転換構成体。
【請求項５】
拡散フィルムを更に備えている、請求項１〜４のいずれか一項に記載の光方向転換構成体。
【請求項６】
前記第１の中間層、又は存在している場合は第２の中間層、の少なくとも１つが、ポリビニルブチレート（ＰＶＢ）、エチレンビニルアセテート（ＥＶＡ）、及びＳｅｎｔｒｙＧｌａｓ（登録商標）Ｐｌｕｓ（ＳＧＰ）から選択される少なくとも１つの構成成分を含んでいる、請求項１〜５のいずれか一項に記載の光方向転換構成体。
【請求項７】
前記第１の中間層、又は存在している場合は第２の中間層、の少なくとも１つが、紫外線遮断剤を含んでいる、請求項１〜６のいずれか一項に記載の光方向転換構成体。
【請求項８】
前記第１の中間層、又は存在している場合は第２の中間層、の少なくとも１つが、クリアな中間層及び拡散中間層から選択される、請求項１〜７のいずれか一項に記載の光方向転換構成体。
【請求項９】
前記光方向転換フィルムの面積が、最終的な積層型光方向転換構成体において前記第１の中間層によって覆われている面積の９０％である、請求項１〜８のいずれか一項に記載の光方向転換構成体。
【請求項１０】
前記中間層が、前記光方向転換フィルムの所与の百分率の面積と接触しており、かつ前記百分率が、２０％以下、３０％以下、４０％以下、５０％以下、６０％以下、７０％以下、８０％以下、９０％以下、及び９５％以下の中から選択される、請求項１〜９のいずれか一項に記載の光方向転換構成体。